(57)【要約】【課題】テストリードを用いて得られた測定値と基準値との比較による判定結果を表示するコンパレータ機能を有する測定装置において、測定者が測定箇所から大きく視線を外す必要なく判定結果を容易に認識することが可能な測定装置を提供する。【解決手段】測定装置１００は、テストリード５が接続される装置本体１であって、テストリード５を介して入力された信号に基づいて測定値を求める測定部７ａと、測定部７ａにより求められた測定値と基準値とを比較する比較部７ｂと、測定値を表示する測定値表示部２と、を備えた装置本体１と；比較部７ｂによる比較の結果を表示する判定結果表示部１１を備え、テストリード５に固定的に設けられるか又は着脱可能に取り付けられる判定結果表示装置１０と；を有する構成とする。【選択図】図１
2013213693.tif 000002
【特許請求の範囲】
【請求項１】
テストリードが接続される装置本体であって、前記テストリードを介して入力された信号に基づいて測定値を求める測定部と、前記測定部により求められた測定値と基準値とを比較する比較部と、前記測定値を表示する測定値表示部と、を備えた装置本体と、
前記比較部による比較の結果を表示する判定結果表示部を備え、前記テストリードに固定的に設けられるか又は着脱可能に取り付けられる判定結果表示装置と、
を有することを特徴とする測定装置。
【請求項２】
前記判定結果表示装置は、前記テストリードに固定的に設けられたものであり、前記テストリードは、被測定物に接触させられる接触子と、前記接触子を保持するテストリード本体と、前記接触子を前記装置本体に接続するリード線と、前記判定結果表示部と前記装置本体とを通信可能に接続する接続手段と、を有することを特徴とする請求項１に記載の測定装置。
【請求項３】
前記判定結果表示部は、前記比較部による比較の結果に応じて点灯又は消灯する照明手段を有することを特徴とする請求項２に記載の測定装置。
【請求項４】
前記判定結果表示装置は、前記テストリードに着脱可能に取り付けられるものであり、前記判定結果表示部を収容する表示装置本体と、前記表示装置本体を前記テストリードに着脱可能に固定する固定手段と、前記判定結果表示部と前記装置本体とを通信可能に接続する接続手段と、を有することを特徴とする請求項１に記載の測定装置。
【請求項５】
前記判定結果表示部は、前記比較部による比較の結果に応じて点灯又は消灯する照明手段を有することを特徴とする請求項４に記載の測定装置。
【請求項６】
前記テストリードは、被測定物に接触させられる接触子と、前記接触子を保持する軸線を有する柱状体であるテストリード本体と、前記接触子を前記装置本体に接続するリード線と、を有し、前記固定手段は、前記軸線を取り囲むように前記テストリード本体の外側面と係合することを特徴とする請求項４又は５に記載の測定装置。
【請求項７】
前記固定手段は、前記軸線と略直交する面に沿って弾性変形可能な一部切り欠き環状部材、又は前記テストリード本体の周囲に巻き付けられるシート状部材であることを特徴とする請求項６に記載の測定装置。
【請求項８】
前記判定結果表示装置は、前記比較部による比較の結果として、前記測定値が、前記基準時としての上限値を超える値であること、前記基準値としての下限値未満の値であること、前記基準値としての下限値以上且つ前記基準値としての上限値以下の値であることのうち少なくとも一つを表示することを特徴とする請求項１〜７のいずれか一項に記載の測定装置。
【発明の詳細な説明】
【技術分野】
【０００１】
本発明は、テストリードを用いて得られた測定値と基準値との比較による判定結果を表示するコンパレータ機能を有する測定装置に関するものであり、より詳細には、測定装置本体における判定結果の表示に加えて又はそれに替えて手元での判定結果の表示を可能とする測定装置に関するものである。
【背景技術】
【０００２】
従来、ＬＣＲメータ、抵抗計、デジタルマルチメータ（ＤＭＭ）などの測定装置として、被測定物（被測定電気素子、被測定回路、被測定電気機器）に係る測定目的（電圧、電流、抵抗、静電容量など）の測定値と基準値とを比較して、その比較による判定結果を装置本体に設けられた判定結果表示部で表示するコンパレータ機能を有するものがある（特許文献１）。
【０００３】
例えば、図８（ａ）に示すように、抵抗計とされる測定装置２００は、装置本体２０１にテストリード２０５（２０５ａ、２０５ｂ）が接続されている。図８（ｂ）に示すように、テストリード２０５は、被測定物Ｓに接触させられる接触子２５１と、接触子２５１を装置本体２０１と接続するリード線２５２を有する。そして、図８（ａ）に示すように、装置本体２０１には、測定値（本例では電気抵抗値）を表示する測定値表示部２０２と、コンパレータ機能により測定値と基準値とを比較して得られた判定結果を表示する判定結果表示部２０３とが設けられている。判定結果表示部２０３は、それぞれ「ＨＩ」、「ＩＮ」又は「Ｌｏ（又はＬｏｗ）」の表記と関係付けて設けられたランプ２０３ａ、２０３ｂ、２０３ｃを有する。測定値が基準値としての上限値を超える場合には「ＨＩ」、下限値未満の場合には「Ｌｏ」、下限値以上且つ上限値以下の場合は「ＩＮ」のランプがそれぞれ点灯する。
【０００４】
これによれば、単に測定値表示部に測定値自体が表示され、測定者がその測定値が上限値を超える値であるか否か、下限値未満の値であるか否か、又は下限値以上且つ上限値以下の値であるか否かを求めなければならない場合と比較して、測定者が即座に判定結果を認識できるため、明確且つ迅速に被測定物の特定のパラメータに関する良否などの判定が可能である。
【先行技術文献】
【特許文献】
【０００５】
【特許文献１】特開平３−１３７５７５号公報
【発明の概要】
【発明が解決しようとする課題】
【０００６】
しかしながら、上記従来の技術には、次のような改善すべき課題があった。
【０００７】
例えば、図８に示す測定装置２００に即して説明すると、このような測定装置２００が、所謂、据え置き型（ベンチ型）である場合、装置本体２０１を特定の箇所に配置し、テストリード２０５（２０５ａ、２０５ｂ）を用いて、装置本体２０１から離れた位置に配置された被測定物Ｓに係る測定目的の測定を行う。
【０００８】
ここで、従来は、装置本体２０１において測定値表示部２０２の周辺などに判定結果表示部２０３のランプ２０３ａ、２０３ｂ、２０３ｃが設けられ、その点灯・消灯で判定結果が表示される。この場合、コンパレータ機能を用いた測定時には、テストリード２０５の接触子２５１を被測定物Ｓの測定箇所に接触させて、測定を開始することで、テストリード２０５を介して装置本体２０１に信号が入力される。そして、装置本体２０１において、入力された信号から測定値が求められ、その測定値が測定値表示部２０２において表示される。又、測定値と基準値（上限値・下限値）とが比較され、その比較による判定結果が判定結果表示部２０３のランプ２０３ａ、２０３ｂ、２０３ｃの点灯・消灯によって表示される。従って、測定値（数値）と判定結果（ＨＩ・ＩＮ・Ｌｏ）を同時に見ることができる。
【０００９】
しかし、このような測定装置２００では、被測定物Ｓと装置本体２０１とが離れた位置関係にある場合、判定結果を見るためにはテストリード２０５の接触子２５１を被測定物Ｓの測定箇所に当てながら装置本体２０１の判定結果表示部２０３に目を移す必要がある。そのため、判定結果の確認に時間がかかる、多数の被測定物Ｓを連続して測定しにくいといった課題がある。又、場合によっては、装置本体２０１の判定表示部２０３を見ている間にテストリード２０５の接触子２５１を被測定物Ｓの測定箇所から誤って離間してしまったり、望まない箇所（例えば、絶縁部分）に当ててしまったりして、判定を誤る可能性がある。
【００１０】
このような課題は、上述のような判定結果表示部が装置本体に設けられた据え置き型の測定装置において顕著となり易い。しかし、同様の課題は、ポータブル型の測定装置であっても装置本体を特定の箇所に置いて測定を行う場合などには生じ得る。
【００１１】
従って、本発明の目的は、テストリードを用いて得られた測定値と基準値との比較による判定結果を表示するコンパレータ機能を有する測定装置において、測定者が測定箇所から大きく視線を外す必要なく判定結果を容易に認識することが可能な測定装置を提供することである。
【課題を解決するための手段】
【００１２】
上記目的は本発明に係る測定装置にて達成される。要約すれば、本発明は、テストリードが接続される装置本体であって、前記テストリードを介して入力された信号に基づいて測定値を求める測定部と、前記測定部により求められた測定値と基準値とを比較する比較部と、前記測定値を表示する測定値表示部と、を備えた装置本体と；前記比較部による比較の結果を表示する判定結果表示部を備え、前記テストリードに固定的に設けられるか又は着脱可能に取り付けられる判定結果表示装置と；を有することを特徴とする測定装置である。
【発明の効果】
【００１３】
本発明によれば、テストリードを用いて得られた測定値と基準値との比較による判定結果を表示するコンパレータ機能を有する測定装置において、測定者が測定箇所から大きく視線を外す必要なく判定結果を容易に認識することが可能となる。
【図面の簡単な説明】
【００１４】
【図１】本発明の一実施例に係る測定装置の全体構成を示す模式的な外観図である。
【図２】本発明の一実施例に係る測定装置の要部の概略機能ブロック図である。
【図３】本発明の一実施例に係る測定装置における判定結果表示装置が設けられたテストリードの（ａ）正面図、（ｂ）概略内部構成図である。
【図４】（ａ）本発明の他の実施例に係る測定装置における判定結果表示装置の外観斜視図、（ｂ）その判定結果表示装置をテストリードに取り付けた状態を示す外観斜視図である。
【図５】本発明の他の実施例に係る測定装置における判定結果表示装置をテストリードに装着する手順を説明するための模式図である。
【図６】（ａ）本発明の更に他の実施例に係る測定装置における判定結果表示装置の外観斜視図、（ｂ）その判定結果表示装置をテストリードに取り付けた状態を示す外観斜視図である。
【図７】本発明の更に他の実施例に係る測定装置における判定結果表示装置をテストリードに装着する手順を説明するための模式図である。
【図８】従来の測定装置の一例の全体構成を示す模式的な外観図、（ｂ）その測定装置におけるテストリードの概略内部構成図である。
【発明を実施するための形態】
【００１５】
以下、本発明に係る測定装置を図面に則して更に詳しく説明する。
【００１６】
実施例１
図１は、本発明の一実施例に係る測定装置１００の全体構成を示す模式的な外観図である。又、図２は、本実施例の測定装置１００の要部の概略機能ブロック図である。本実施例では、測定装置１００は、コンパレータ機能を有する抵抗計とされる。
【００１７】
測定装置１００は、装置本体１を有する。装置本体１には、測定回路６、制御回路７、操作部４、表示装置２０、測定端子８などが設けられている。
【００１８】
測定回路６は、測定目的（パラメータ）としての電気抵抗を測定することができるように構成されている。測定回路６は、被測定物Ｓの測定箇所に対して所定の電圧を印加する測定電圧発生部と、該所定の電圧の印加時に被測定物Ｓに流れる電流を検出する電流検出部と、該所定の電圧の印加時に測定電圧発生部が印加する電圧と電流検出部にて検出された電流とをそれぞれ所定のサンプリング間隔でデジタルデータに変換するＡ／Ｄ変換部と、を有する。
【００１９】
制御回路７は、測定装置１００の各部の動作を統括的に制御する。制御回路７は、演算制御手段としてのＣＰＵ、ＣＰＵに内蔵されるか又は接続された記憶手段としてのメモリ（ＲＯＭ、ＲＡＭ）などを有して構成される。ＣＰＵは、メモリに格納されたプログラムやデータに従って、測定装置１００の各部を制御する。制御回路７は、テストリード５を介して入力される信号として、測定回路６のＡ／Ｄ変換部からの電圧データ及び電流データに基づいて、被測定物Ｓの電気抵抗の測定値を算出する。このように、制御回路７は、測定部７ａとしての機能を有する。又、制御回路７は、電気抵抗の測定値と予め設定された基準値とを比較して、その比較結果である判定結果を求める。このように、制御回路７は、比較部７ｂとしての機能を有する。
【００２０】
操作部４は、電源スイッチ、制御回路７に各種設定に係る信号を入力する設定スイッチなどを有して構成される。本実施例では、特に、操作部４には、コンパレータ機能をＯＮ／ＯＦＦするコンパレータ機能スイッチ４１、コンパレータ機能における基準値を設定するための基準値設定スイッチ４２が設けられている。コンパレータ機能がＯＦＦの状態でコンパレータ機能スイッチ４１が押下されると、制御回路７はコンパレータ機能をＯＮとする。又、コンパレータ機能がＯＮの状態でコンパレータ機能スイッチ４１が押下されると、制御回路７はコンパレータ機能をＯＦＦとする。基準値設定スイッチ４２は、本実施例では複数のスイッチから構成され、上限値と下限値とを設定できるようになっている。基準値設定スイッチ４２により設定される上限値と下限値は、制御回路７のメモリに格納される。
【００２１】
表示装置２０は、測定値表示部２と、本体側判定結果表示部３とを有する。測定値表示部２は、本実施例では、複数の表示セグメントを選択的にＬＥＤで照明してデジタル表示を行うカウントＬＥＤ表示パネルとされる。但し、これに限定されるものではなく、測定値表示部２としては、例えば液晶表示パネルなどを用いてもよい。測定値表示部２は、制御回路６からの信号に従って電気抵抗の測定値２ａを表示する。又、本実施例では、測定値表示部２において、コンパレータ機能における基準値（上限値・下限値）２ｂが表示される。上記基準値設定スイッチ４２を操作すると、それに応じて制御回路７が測定値表示部２における基準値の表示を変更する。測定者は、測定値表示部２における表示を見ながら上記基準値設定スイッチ４２を操作して基準値を設定することができる。一方、本体側判定結果表示部３は、それぞれ「ＨＩ」、「ＩＮ」又は「Ｌｏ」の表記と関係付けて設けられたランプ３ａ、３ｂ、３ｃを有して構成されている。電気抵抗の測定値が基準値としての上限値を超える場合には「ＨＩ」、下限値未満の場合には「Ｌｏ」、下限値以上且つ上限値以下の場合は「ＩＮ」のランプがそれぞれ点灯する。本実施例では、本体側判定結果表示部３のランプ３ａ、３ｂ、３ｃの光源はＬＥＤである。
【００２２】
又、装置本体１には、一対の測定端子８（８ａ、８ｂ）が設けられている。一方の測定端子（接地側）８ａには、一対のテストリード５（５ａ、５ｂ）のうち一方のテストリード（接地側）５ａが着脱可能に接続される。又、他方の測定端子（ライン側）８ｂには、他方のテストリードリード（ライン側）５ｂが着脱可能に接続される。テストリード５は、測定端子８を介して測定回路６に接続される。
【００２３】
そして、本実施例では、測定装置１００は更に、比較部７ｂが電気抵抗の測定値と基準値とを比較した結果である判定結果を表示するための判定結果表示装置１０を有する。本実施例では、判定結果表示装置１０は、一対のテストリード５（５ａ、５ｂ）のうち一方のテストリード５ｂに固定的に設けられている。即ち、本実施例では、判定結果表示装置１０は、一方のテストリード５ｂと一体とされている。尚、本実施例では、判定結果表示装置１０は、一方のテストリード５としてライン側のテストリード５ｂに設けられているが、これに限定されるものではなく、アース側テストリード５ａに設けられていてもよい。
【００２４】
本実施例では、判定結果表示装置１０は、それぞれ「ＨＩ」、「ＩＮ」又は「Ｌｏ」の表記と関係付けて設けられたランプ１１ａ、１１ｂ、１１ｃを有して構成された判定結果表示部１１を有する。電気抵抗の測定値が基準値としての上限値を超える場合には「ＨＩ」、下限値未満の場合には「Ｌｏ」、下限値以上且つ上限値以下の場合は「ＩＮ」のランプがそれぞれ点灯する。本実施例では、判定結果表示装置１０の判定結果表示部１１のランプ１１ａ、１１ｂ、１１ｃの光源はＬＥＤである。
【００２５】
更に説明すると、図３（ａ）は判定結果表示装置１０が設けられたテストリード５ｂの正面図であり、図３（ｂ）はその概略内部構成図である。テストリード５ｂは、被測定物Ｓに接触させられる接触子５１と、接触子５１を保持するテストリード本体５２と、接触子５１を装置本体１に接続するリード線５３と、判定結果表示部１１と装置本体１とを通信可能に接続する接続手段としての通信線１３と、を有する。
【００２６】
テストリード本体５２は、軸線を有する柱状体（本実施例では略円柱状体）であり、その一方の端部から突出するように接触子５１が設けられており、他方の端部にはリード線５３と通信線１３とを内包するケーブル５４が連設されている。
【００２７】
判定結果表示部１１は、テストリード本体５２の外部から視認可能であり、比較部７ｂによる比較の結果に応じて点灯又は消灯する照明手段としてのランプ１１ａ、１１ｂ、１１ｃを有する。ランプ１１ａ、１１ｂ、１１ｃは、それぞれテストリード本体５２の外側面５２ａにプリントされた「ＨＩ」、「ＩＮ」、「Ｌｏ」の表記に隣接して外側面５２ａ上で視認できるようにして、テストリード本体５２の内部に配置される基板１２上に固定されている。通信線１３の一方の端部は基板１２に接続され、他方の端部は装置本体１の通信端子（外部制御端子）９に接続される。本実施例では、リード線５３と通信線１３は、電気絶縁性の被覆材で覆われて１本のケーブル５４としてまとめられている。このケーブル５４の端部には、リード線５３、通信線１３をそれぞれ測定端子５ｂ、通信端子９に接続可能とするプラグ（図示せず）が形成されている。
【００２８】
本実施例では、判定結果表示装置１０は、上記プラグを介して、テストリード５と一体的に、装置本体１に対して着脱可能とされている。但し、これに限定されるものではなく、テストリード５及び判定結果表示装置１０は、ケーブル５４を介して、装置本体１に固定的に接続されていてもよい。
【００２９】
次に、本実施例の測定装置１００によるコンパレータ機能を用いた測定の手順の一例を説明する。コンパレータ機能を使用するには、装置本体１の操作部４においてコンパレータ機能スイッチ４１を押してコンパレータ機能をＯＮとすると共に、基準値設定スイッチ４２を操作して所望の基準値（上限値・下限値）を装置本体１の測定値表示部２に表示させることで基準値を設定する。その後、一対のテストリード５（５ａ、５ｂ）を被測定物Ｓの測定箇所に接触させる。このとき、回路が接続されると直ちに測定が開始されるようになっていてもよいし、別途測定を開始させるためのスイッチが設けられていてもよい。例えば、テストリード５が、４端子測定が可能なテストリード５である場合には、接触子５１の先端において軸線方向に突出するように設けられた電圧側先端を、被測定物Ｓの所定箇所に押し付けることで、その外側に同心的に配置された電流側先端の内側に退避させる。そして、電流側及び電圧側の両方が導通した段階で測定が開始される。これにより、テストリード５を介して装置本体１の測定回路６に被測定物Ｓの電気抵抗値に応じた信号が入力される。測定回路６は、入力された信号を被測定物Ｓの電気抵抗に応じたデジタルデータに変換する。又、制御回路７は、測定回路６から入力されたデジタルデータに基づいて、被測定物Ｓの電気抵抗の測定値を算出する。そして、制御回路７は、算出した被測定物Ｓの電気抵抗の測定値を、装置本体１の測定値表示部２に表示させる。又、制御回路７は、電気抵抗の測定値と予め設定されている基準値（上限値・下限値）とを比較する。そして、制御回路７は、その比較結果に応じて、判定結果に係る信号として、装置本体１の本体側判定結果表示部３のランプ３ａ、３ｂ、３ｃを点灯・消灯させる信号を、本体側判定結果表示部３に送信する。それと共に、制御回路７は、上記比較結果に応じて、判定結果に係る信号として、判定結果表示装置１０の判定結果表示部１１のランプ１１ａ、１１ｂ、１１ｃを点灯・消灯させる信号を、判定結果表示装置１０に送信する。これにより、装置本体１の本体判定結果表示部３に加えて、測定者の手元であるテストリード５ｂ上の判定結果表示部１１において判定結果が表示される。
【００３０】
尚、判定結果表示装置１０の判定結果表示部１１、本体側判定結果表示部３は、判定結果を「ＨＩ」、「ＩＮ」、「Ｌｏ」で表示する態様に限定されるものではない。このように、測定値が上限値を超える値であること、下限値未満の値であること、又は下限値以上且つ上限値以下の値であることの３つの状態をそれぞれ表示することで、被測定物Ｓの特定のパラメータに関する良否などの判定を明確且つ迅速に行うことがより容易となる。しかし、例えば、測定値が上限値を超えた場合及び／又は下限値未満である場合、即ち、測定値が予め定めた合格範囲外（規格外）である場合にのみ、警告の意味合いで判定結果を表示してもよい。逆に、測定値が下限値以上且つ上限値以下である場合、即ち、測定値が予め定めた合格範囲内（規格内）である場合にのみ、合格判定の意味合いで判定結果を表示してもよい。更に、合格範囲内であること及び合格範囲外であることの２つの状態をそれぞれ表示するようにしてもよい。例えば、合格範囲内であることを「ＰＡＳＳ」、「ＯＫ」などの表記と関係付けて設けられたランプを点灯させて表示し、合格範囲外であることを「ＦＡＩＬ」、「ＮＧ」などの表記と関係付けて設けられたランプを点灯させて表示することができる。このように、判定結果表示装置１０は、比較部７ｂによる比較の結果として、測定値が、基準時としての上限値を超える値であること、下限値未満の値であること、下限値以上且つ上限値以下の値であることのうち少なくとも一つを表示することができる。
【００３１】
又、本実施例では、判定結果表示装置１０の判定結果表示部１１、本体側判定結果表示部３は、「ＨＩ・ＩＮ・Ｌｏ」といった表記と関係付けられたランプを有して構成されるものとした。これにより、比較的簡易な構成により、判定結果を明確かつ迅速に認識できるようにすることができ、比較的低コストで製造が容易であるという利点がある。しかし、本発明は、判定結果の表示方法自体を限定するものではなく、例えば液晶表示パネルなどのディスプレイパネルにおいて上記各態様と同様の趣旨の表示を行うことができる。
【００３２】
以上、本実施例によれば、測定者は、測定箇所から大きく視線を外す必要なく、被測定物に近い箇所で、判定結果を容易に認識することができる。そのため、判定結果の確認を短時間で行うことができる。又、多数の被測定物を連続して測定することに適している。
【００３３】
実施例２
次に、本発明の他の実施例について説明する。本実施例の測定装置において実施例１のものと同一又はそれに相当する要素には同一符号を付して詳しい説明は省略する。
【００３４】
実施例１では、判定結果表示装置１０は、一対のテストリード５（５ａ、５ｂ）のうち一方のテストリード５ｂに固定的に設けられていた。
【００３５】
これに対して、本実施例では、判定結果表示装置１０は、テストリード５に着脱可能に取り付けられるように構成されている。尚、本実施例では、判定結果表示装置１０は、一方のテストリード５としてライン側のテストリード５ｂに取り付けるものとして説明するが、これに限定されるものではなく、アース側テストリード５ａに取り付けてもよい。
【００３６】
図４（ａ）は本実施例における判定結果表示装置１０の外観斜視図であり、図４（ｂ）は本実施例における判定結果表示装置１０をテストリード５ｂに取り付けた状態を示す外観斜視図である。
【００３７】
判定結果表示装置１０は、判定結果表示部１１を収容する表示装置本体１４と、表示装置本体１４をテストリード５ｂに着脱可能に固定する固定手段としての装着リング１５と、判定結果表示部１１と装置本体１とを通信可能に接続する接続手段としての通信線１３と、を有する。
【００３８】
本実施例では、表示装置本体１４は、略直交する２平面に沿ういずれの断面も略矩形の箱型（ボックス型）とされている。判定結果表示装置１０をテストリード５ｂに取り付けた状態でテストリード５ｂの軸線方向に沿って延在する表示装置本体１４の側面のうち、テストリード５ｂとは反対側を向いた側面を第１の側面１４ａ、この第１の側面１４ａとは反対側の側面を第２の側面１４ｂとする。又、判定結果表示装置１０をテストリード５ｂに取り付けた状態でテストリード５ｂの軸線方向と略直交する方向に延在する表示装置本体１４の側面のうち、テストリード５ｂの接触子５１側の端部とは反対側を向いた側面を第３の側面１４ｃとする。このとき、判定結果表示部１１は、第１の側面１４ａ上で判定結果を表示するように設けられている。又、装着リング１５は、第２の側面１４ｂ上に設けられている。又、第３の側面１４ｃには、通信線１３を内包するケーブル１６が連設されている。
【００３９】
本実施例では、判定結果表示部１１は、表示装置本体１４の第１の側面１４ａの外部から視認可能であり、比較部７ｂによる比較の結果に応じて点灯又は消灯する照明手段としてのランプ１１ａ、１１ｂ、１１ｃを有する。本実施例では、判定結果表示装置１０の判定結果表示部１１のランプ１１ａ、１１ｂ、１１ｃの光源はＬＥＤである。ランプ１１ａ、１１ｂ、１１ｃは、それぞれ表示装置本体１４の第１の側面１４ａにプリントされた「ＨＩ」、「ＩＮ」、「Ｌｏ」の表記に隣接して該第１の側面１４ａ上で視認できるようにして、表示装置本体１４の内部に配置される基板（図示せず）上に固定されている。通信線１３の一方の端部は上記基板に接続され、他方の端部は装置本体１の通信端子９（図２参照）に接続される。本実施例では、通信線１３は、電気絶縁性の被覆材で覆われてケーブル１６とされおり、このケーブル１６の端部には、通信線１３を通信端子９（図２参照）に接続可能とするプラグ（図示せず）が形成されている。
【００４０】
本実施例では、判定結果表示装置１０は、上記プラグを介して、装置本体１に対して着脱可能とされている。但し、これに限定されるものではなく、判定結果表示装置１０は、ケーブル１６を介して、装置本体１に固定的に接続されていてもよい。この場合、判定結果表示装置１０は、必要に応じて、ケーブル５４を介して装置本体１に対して固定的に又は着脱可能に接続されたテストリード５に装着して用いることができる。
【００４１】
装着リング１５は、テストリード５ｂの軸線を取り囲むようにテストリード本体５２の外側面５２ａと係合する。本実施例では、装着リング１５は、表示装置本体１４の第２の側面１４ｂ上でテストリード５ｂの軸線方向の２箇所に設けられている。特に、本実施例では、装着リング１５は、表示装置本体１４の第２の側面１４ｂとは反対側の一部に開口部１５ｂが形成された、一部切り欠き環状部材（本実施例では略円環状部材）とされている。そして、この装着リング１５のリング部１５ａの内周（仮想円）の直径は、テストリード５ｂにおける判定結果表示装置１０の装着部の外径と同等とされるか又は若干小さくされている。この装着リング１５は、開口部１５ｂの両側のリング部１５ａが、テストリード５ｂの軸線と略直交する面に沿って弾性変形可能である。本実施例では、表示装置本体１４と装着リング１５とは、プラスチック材料で一体的に成形されている。
【００４２】
図５（ａ）、（ｂ）は、本実施例の判定結果表示装置１０をテストリード５ｂに装着する手順をテストリード５ｂの軸線方向に沿って見たものである。図５（ａ）に示すように、装着リング１５の開口部１５ｂをテストリード本体５２の外側面５２ａ側に向けて、判定結果表示装置１０をテストリード５ｂに近付ける。そして、開口部１５ｂを挟んで対向するリング部１５ａの先端を、テストリード本体５２の外側面５２ａに接触させ、更に判定結果表示装置１０をテストリード５ｂに向けて押し付ける。これにより、装着リング１５の開口部１５ｂが広くなるように、リング部１５ａがテストリード５ｂの軸線方向と略直交する面に沿って変形していく。その後、装着リング１５のリング部１５ａの先端がテストリード５ｂの最大径位置を超えると、リング部１５ａはその弾性復元力によって開口部１５ｂが狭くなるように、テストリード５ｂの軸線方向と略直交する面に沿って変形していく。そして、図５（ｂ）に示すように、表示装置本体１４の第２の側面１４ｂがテストリード本体５２の外側面５２ａに隣接した状態で、装着リング１５のリング部１５ａがテストリード本体５２の外側面５２ａを適当な力で挟み込み、装着リング１５はテストリード本体５２の外側面５２ａと係合する。
【００４３】
尚、判定結果表示装置１０をテストリード５ｂから取り外す際の手順は、概略、上記装着する際の手順と逆となる。即ち、判定結果表示装置１０をテストリード５ｂから離す方向に引っ張ることで、装着リング１５が変形してテストリード本体５２との係合が解除されて、判定結果表示装置１０をテストリード５ｂから取り外すことができる。
【００４４】
以上、本実施例の構成によっても、実施例１と同様の効果が得られる。又、本実施例によれば、判定結果表示装置１０がテストリード５とは別個に構成されているので、必要に応じて判定結果表示装置１０をテストリード１０に装着し、手元で判定結果を容易に確認できるようにすることができる。従って、テストリード５自体は低コストで簡易な構成としつつ、所望に応じて手元で判定結果を容易に確認できる機能を追加するオプション装置として判定結果表示装置１０を構成することができる。又、本実施例によれば、判定結果表示装置１０は、固定手段としての弾性変形可能な装着リング１５をテストリード５ｂに弾発的に係合させるといった簡単な操作で、テストリード５ｂに装着することができる。
【００４５】
実施例３
次に、本発明の他の実施例について説明する。本実施例の測定装置において実施例１のものと同一又はそれに相当する要素には同一符号を付して詳しい説明は省略する。
【００４６】
本実施例では、実施例２と同様に、判定結果表示装置１０は、テストリード５に着脱可能に取り付けられるように構成されている。尚、本実施例では、判定結果表示装置１０は、一方のテストリード５としてライン側のテストリード５ｂに取り付けるものとして説明するが、これに限定されるものではなく、アース側テストリード５ａに取り付けてもよい。
【００４７】
図６（ａ）は本実施例における判定結果表示装置１０の外観斜視図であり、図６（ｂ）は本実施例における判定結果表示装置１０をテストリード５ｂに取り付けた状態を示す外観斜視図である。
【００４８】
判定結果表示装置１０は、判定結果表示部１１を収容する表示装置本体１４と、表示装置本体１４をテストリード５ｂに着脱可能に固定する固定手段としての装着シート１７と、判定結果表示部１１と装置本体１とを通信可能に接続する接続手段としての通信線１３と、を有する。
【００４９】
本実施例では、表示装置本体１４は、略直交する２平面に沿ういずれの断面も略矩形のカード型と（或いはシート型）されている。判定結果表示装置１０をテストリード５ｂに取り付けた状態でテストリード５ｂの軸線方向に沿って延在する表示装置本体１４の側面のうち、テストリード５ｂとは反対側を向いた側面を第１の側面１４ａとする。このとき、判定結果表示部１１は、第１の側面１４ａ上で判定結果を表示するように設けられている。そして、表示装置本体１４は、第１の側面１４ｂとは反対側の面が装着シート１７の表面１７ａに固定されている。又、判定結果表示装置１０をテストリード５ｂに取り付けた状態でテストリード５ｂの接触子５１側の端部とは反対側に向けて延長されるように、通信線１３を内包するケーブル１６が表示装置本体１４に連設されている。
【００５０】
本実施例では、判定結果表示部１１は、表示装置本体１４の第１の側面１４ａの外部から視認可能であり、比較部７ｂによる比較の結果に応じて点灯又は消灯する照明手段としてのランプ１１ａ、１１ｂ、１１ｃを有する。本実施例では、判定結果表示装置１０の判定結果表示部１１のランプ１１ａ、１１ｂ、１１ｃの光源はＬＥＤである。ランプ１１ａ、１１ｂ、１１ｃは、それぞれ表示装置本体１４の第１の側面１４ａにプリントされた「ＨＩ」、「ＩＮ」、「Ｌｏ」の表記に隣接して該第１の側面１４ａ上で視認できるようにして、表示装置本体１４の内部に配置される基板（図示せず）上に固定されている。この基板は、本実施例では、好ましくはフレキシブル基板とされる。通信線１３の一方の端部は上記基板に接続され、他方の端部は装置本体１の通信端子９（図２参照）に接続される。本実施例では、通信線１３は、電気絶縁性の被覆材で覆われてケーブル１６とされおり、このケーブル１６の端部には、通信線１３を通信端子９（図２参照）に接続可能とするプラグ（図示せず）が形成されている。
【００５１】
装着シート１７は、テストリード５ｂの軸線を取り囲むようにテストリード本体５２の外側面５２ａと係合する。特に、本実施例では、装着シート１７は、一方向に長い帯状とされた、テストリード本体５２の周囲に巻き付けられるシート状部材である。そして、装着シート１７の長手方向の一方の端部に隣接して、装着シート１７の表面１７ａに表示装置本体１４が固定されている。又、装着シート１７の長手方向の他方の端部に隣接して、装着シート１７の表面１７ａに、固定部として面ファスナー（例えば雄）１７ｃ１が固定されている。更に、本実施例では、表示装置本体１４が設けられた側の装着シート１７の端部に隣接して、装着シート１７の裏面１７ｂに、固定部として面ファスナー（例えば雌）１７ｃ２が固定されている。本実施例では、装着シート１７の長手方向の長さは、テストリード５ｂにおける判定結果表示装置１０の装着部の周長よりも長くされており、そのオーバーラップ領域に上記面ファスナー１７ｃ１、１７ｃ２が設けられている。装着シート１７は、プラスチック製のシート、エラストマー（或いはゴム）製のシート、布などの、テストリード５の外側面５２ａに巻き付けるのに適した可撓性を有する材料を適宜用いることができる。
【００５２】
図７（ａ）、（ｂ）は、本実施例の判定結果表示装置１０をテストリード５ｂに装着する手順をテストリード５ｂの軸線方向に沿って見たものである。図７（ａ）に示すように、装着シート１７の表示装置本体１４が設けられた側とは反対側の端部の裏面１７ｂを、テストリード本体５２の外側面５２ａ上に乗せる。これにより、この端部に隣接して設けられた一方の面ファスナー（例えば雄）１７ｃ１が、テストリード本体５２の外側面５２ａとは反対側に露出する。このとき、装着シート１７は、その長手方向がテストリード５ｂの軸線方向と交差する方向となるように配置される。そして、装着シート１７の表示装置本体１４が設けられた側の端部の裏面１７ｂを、上記一方の面ファスナー１７ｃ１が設けられた側の端部にオーバーラップさせるようにして、装着シート１７をテストリード本体５２の周囲に巻き付けていく。その後、装着シート１７の表示装置本体１４が設けられた側の端部の裏面１７ｂに設けられた他方の面ファスナー（例えば雌）１７ｃ２を、上記一方の面ファスナー１７ｃ１上に重ねて固定する。これにより、図７（ｂ）に示すように、表示装置本体１４の第１の側面１４ａがテストリード本体５２の外側面５２ａとは反対側に露出した状態で、装着シート１７がテストリード本体５２の外側面５２ａに適当な力で巻き付き、装着シート１７はテストリード本体５２の外側面５２ａと係合する。
【００５３】
尚、判定結果表示装置１０をテストリード５ｂから取り外す際の手順は、概略、上記装着する際の手順と逆となる。即ち、装着シート１７の表示装置本体１４が設けられた側の端部をテストリード５ｂから離す方向に引っ張ることで、面ファスナー１７ｃ１、１７ｃ２の係合が解除されて、判定結果表示装置１０をテストリード５ｂから取り外すことができる。
【００５４】
以上、本実施例の構成によっても、実施例１、２と同様の効果が得られる。又、本実施例によれば、判定結果表示装置１０は、固定手段としての可撓性を有する装着シート１７をテストリード５ｂに巻き付けるといった簡単な操作で、テストリード５ｂに装着することができる。
【００５５】
尚、本実施例では、装着シートは固定部として雄、雌の両方の面ファスナーを有する。しかし、例えば装着シート自体が雌の面ファスナーとして機能する素材（フェルトなど）で形成されている場合、雌の面ファスナーを特別に設けなくてもよい。又、装着シートの固定方法は、面ファスナーによる機械的な拘束力による固定方法に限定されるものではない。例えば、ボタンやバックルといった、凹状部と凸状部との嵌合、爪状部とそれに適合する凹部や段差などの受部との係止を利用した他の機械的な拘束力による固定方法であってもよい。或いは、磁性部材とマグネットとによる磁気的な拘束力による固定方法などの機械的な拘束力以外の拘束力を利用するものであってもよい。
【００５６】
その他
以上、本発明を具体的な実施例に即して説明したが、本発明は上記実施例に限定されるものではない。
【００５７】
例えば、上述の実施例では、測定装置は抵抗計であり、測定目的は電気抵抗であるものとして説明したが、本発明はこれに限定されるものではない。例えば、測定装置はＬＣＲメータ、デジタルマルチメータ（ＤＭＭ）などであってもよく、測定目的は電圧、電流、抵抗、静電容量などであってもよい。
【００５８】
又、測定装置の装置本体と判定結果表示装置とを通信可能に接続する接続手段は、有線で接続するものとして説明したが、無線で接続するものであってもよい。
【符号の説明】
【００５９】
１          装置本体
２          測定値表示部
３          本体側判定結果表示部
４          操作部
５          テストリード
６          測定回路
７          制御回路
７ａ        測定部
７ｂ        比較部
１０        判定結果表示装置
１１        判定結果表示部
１５        装着リング（固定手段）
１７        装着シート（固定手段）
１００      測定装置
【図１】
2013213693.tif 000003
【図２】
2013213693.tif 000004
【図３】
2013213693.tif 000005
【図４】
2013213693.tif 000006
【図５】
2013213693.tif 000007
【図６】
2013213693.tif 000008
【図７】
2013213693.tif 000009
【図８】
2013213693.tif 000010